(57)【要約】【課題】軽量小型の移動無線基地局給電線系導通確認用信号発生器を得る。【解決手段】移動無線基地局の変復調装置の受信入力端子に接続するＭＤＥ側給電経路端子に信号レベル測定器を接続し、この信号レベル測定器に対して確認用信号を供給するようアンテナ側給電経路端子に接続する給電線系導通確認用信号発生器１において、肩掛けストラップ１５で携帯できる小型のハウジング２を設け、ハウジング２には、少なくとも移動無線で使用される複数個の所定周波数信号をそれぞれ出力するプリセット信号発生手段、プリセット信号発生手段間を切り替えるチャンネル切替手段３、指定されたプリセット信号を出力する信号出力端子手段６、信号発生器を動作させるバッテリ手段、信号発生器のオン・オフを制御するオン・オフ手段４とを装備し、また信号出力端子手段とアンテナ側給電経路端子とを接続する付属接続ケーブル１２または１３を設ける。【選択図】図２
2007005891.tif 000002
【特許請求の範囲】
【請求項１】
移動無線基地局の変復調装置からアンテナに至るまでの給電線系の導通を確認するため、変復調装置の受信入力端子に接続するＭＤＥ側給電経路端子に信号レベル測定器を接続し、この信号レベル測定器に対して確認用信号を供給するようアンテナ側給電経路端子に接続する給電線系導通確認用信号発生器において、
肩掛けストラップで携帯できる小型ハウジングと、
この小型ハウジングに装備する以下の手段、即ち、
少なくとも移動無線で使用される複数個の所定周波数の各周波数信号をそれぞれ出力する複数個のプリセット信号発生手段、
これらプリセット信号発生手段間を切り替えるチャンネル切替手段、
指定されたプリセット信号発生手段からの信号を出力する信号出力端子手段、
信号発生器を動作させるバッテリ手段、
信号発生器のオン・オフを制御するオン・オフ手段と
を装備し、また前記信号出力端子手段とアンテナ側給電経路端子とを接続する付属接続ケーブルを設けたことを特徴とする移動無線基地局給電線系導通確認用信号発生器。
【請求項２】
発生する周波数信号の出力電力を少なくとも２個の出力レベルに微調整する出力電力微調整手段を設けた請求項１記載の移動無線基地局給電線系導通確認用信号発生器。
【請求項３】
前記付属接続ケーブルとして、アンテナが給電部付きである場合のアンテナ給電部に接続されるアンテナ側給電経路端子と接続するアッテネータ付き接続ケーブルと、アンテナが給電部付きでない場合のアンテナ側給電経路端子に接続する接続ケーブルとを用意した請求項１または２記載の移動無線基地局給電線系導通確認用信号発生器
【発明の詳細な説明】
【技術分野】
【０００１】
本発明は、移動無線基地局の変復調装置からアンテナに至るまでの給電線系の導通を確認するため、変復調装置の受信入力端子に接続するＭＤＥ側給電経路端子に信号レベル測定器を接続し、この信号レベル測定器に対して確認用信号を供給するようアンテナ側給電経路端子に接続する給電線系導通確認用信号発生器に関するものである。
【背景技術】
【０００２】
従来このような導通確認用信号発生器としては、あらゆる任意の周波数信号を出力できる汎用シグナルジェネレータを使用していた。
【発明の開示】
【発明が解決しようとする課題】
【０００３】
しかし、汎用シグナルジェネレータは、移動無線に使用される周波数を出力するよう現場で調整して使用しなければならず、設定が面倒であり、また大型かつ重い重量であるため、アンテナがビルの高い位置または天井裏に配置されていたり、電源とする配電網のコンセントが離れた位置にある場合に作業が難航し、作業性が悪いという問題があった。
【０００４】
したがって、本発明の目的は、軽量小型で作業性のよい移動無線基地局給電線系導通確認用信号発生器を得るにある。
【課題を解決するための手段】
【０００５】
この目的を達成するため、本発明移動無線基地局給電線系導通確認用信号発生器は、肩掛けストラップで携帯できる小型ハウジングと、この小型ハウジングに装備する以下の手段、即ち、少なくとも移動無線で使用される複数個の所定周波数の各周波数信号をそれぞれ出力する複数個のプリセット信号発生手段、これらプリセット信号発生手段間を切り替えるチャンネル切替手段、指定されたプリセット信号発生手段からの信号を出力する信号出力端子手段、信号発生器を動作させるバッテリ手段、信号発生器のオン・オフを制御するオン・オフ手段とを具え、また前記信号出力端子手段とアンテナ側給電経路端子とを接続する付属接続ケーブルを設けたことを特徴とする。
【発明の効果】
【０００６】
本発明によれば、少なくとも移動無線で使用される複数個の所定周波数しか出力しないため、チャンネル切替手段によって切り替えて目的の周波数を出力できるため、設定が簡単であり、また小型軽量かつバッテリ駆動のため、アンテナがビルの高い位置または天井裏に配置されてても、作業員が肩掛けストラップで信号発生器をぶら下げ、梯子を登ったり天井裏に入り込んで、アンテナ側給電経路端子に信号発生器を接続することができる。また、配電網のコンセントが離れた位置にあったとしても、電源延長コードを引き回すことも不要になる。
【発明を実施するための最良の形態】
【０００７】
本発明の好適な実施例においては、生する周波数信号の出力電力を少なくとも２個の出力レベルに微調整する出力電力微調整手段を設ける。
【０００８】
さらに、本発明の好適な実施例においては、付属接続ケーブルとして、アンテナが給電部付きである場合のアンテナ給電部に接続されるアンテナ側給電経路端子と接続するアッテネータ付き接続ケーブルと、アンテナが給電部付きでない場合のアンテナ側給電経路端子に接続する接続ケーブルとを用意する。
【０００９】
次に、図面につき本発明の好適な実施例を説明する。
【実施例１】
【００１０】
本発明移動無線基地局給電線系導通確認用信号発生器は１、図１に示すように、肩掛けストラップ（図２参照）で携帯できる小型のハウジング２を有する。このハウジング２内には、図示しないが、少なくとも移動無線で使用される複数個の所定周波数の各周波数信号をそれぞれ出力する複数個のプリセット信号発生手段と、これらプリセット信号発生手段間を切り替えるチャンネル切替手段と、信号発生器を動作させるバッテリ手段と、信号発生器のオン・オフを制御するオン・オフ手段とを組み込む。ハウジング２の前面パネル２Ａには、チャンネル切替手段の切替ノブ３、オン・オフ手段のトグルスイッチ４およびオン・オフインジケータ５、および指定されたプリセット信号発生手段からの信号を出力する信号出力端子手段６を設ける。
【００１１】
さらに、本発明の好適な実施例においては、発生する周波数信号の出力電力を少なくとも２個の出力レベルに微調整する出力電力微調整手段（図示せず）を設け、ハウジングの前面パネル２Ａには、この微調整のためのアクセス孔７を設ける。
【００１２】
ハウジングの底面側には、バッテリ収納ボックスを設け、このボックスの蓋を閉じる止めねじ兼用のハウジング足８を設ける。また、ハウジング後面には、配電網電源を利用できる場合のＡＣ電源アダプタのプラグを接続するためのジャック９を設ける。
【００１３】
本発明移動無線基地局給電線系導通確認用信号発生器１には、図２に示すように、前面パネル２Ａにおける信号出力端子手段６とアンテナ側給電経路端子とを接続する付属接続ケーブルを設ける。この付属接続ケーブルとしては、図２（ａ）に示すように、アンテナ給電部１０を有するアンテナである場合に、このアンテナ給電部１０に接続されるアンテナ側給電経路端子１１と接続するアッテネータ付き接続ケーブル１２と、図２（ｂ）に示すように、アンテナ給電器付きでない直結型アンテナの場合のアンテナ側給電経路端子１３に接続する接続ケーブル１４とを用意する。
【００１４】
図２に示すように、本発明移動無線基地局給電線系導通確認用信号発生器１のハウジング２には、肩掛けストラップ１５を取り付けることができるようにする。
【００１５】
移動無線基地局（ＢＴＳ）の変復調装置（ＭＤＥ）１６からアンテナ（ＡＮＴ）１７に至る給電線系の導通確認テストを行う本発明信号発生器１の使用方法を図３に示す。
【００１６】
ＢＴＳ１６は、ハイブリッド（ＨＹＢ）と称される分配合成器１８を介して、またアンテナ給電部１０を経て鉄塔上のＡＮＴ１７に接続されたり（図３（ａ）参照）、天井裏の複数個のＡＮＴ１７に接続される。本発明信号発生器１は、アンテナ側給電経路端子１１または１３に接続ケーブル１２または１４に接続する。一方、ＭＤＥ１６の受信入力端子に接続するＭＤＥ側給電経路端子１９に信号レベル測定器２０を接続する。
【００１７】
このように準備した後、切替ノブ３でプリセット周波数を選択して信号発生器１から発生する所定周波数の確認用信号を信号レベル測定器２０によって測定し、信号レベル測定器２０に現れる信号レベルによって給電線系導通の合否を判定する。この信号レベル測定器２０としては、スペクトラムアナライザーもしくはパワーメーターを使用する。
【００１８】
本発明移動無線基地局給電線系導通確認用信号発生器１は、ハウジング２に直接肩掛けストラップを取り付けるのではなく、肩掛けストラップ付きバッグに収納することもできる。
【産業上の利用可能性】
【００１９】
本発明信号発生器は、移動無線、とくに、携帯電話通信のために、ビルの屋上その他の鉄塔上、または屋内に基地局およびアンテナを設置する工事において基地局とアンテナとの間における給電線経路の導通確認用に使用する。
【図面の簡単な説明】
【００２０】
【図１】本発明移動無線基地局給電線系導通確認用信号発生器の説明図であり、（ａ）は正面図、（ｂ）は平面図、（ｃ）は背面図である。
【図２】本発明移動無線基地局給電線系導通確認用信号発生器をアンテナ側給電経路端子に接続する状態を示す説明図であり、（ａ）は、アンテナ給電部を有するアンテナの場合の接続形態、（ｂ）は直結型アンテナの場合の接続形態を示す。
【図３】移動無線基地局（ＢＴＳ）の変復調装置（ＭＤＥ）からアンテナ（ＡＮＴ）に至る給電線系の導通確認テストを行う本発明信号発生器の使用方法の説明図であり、（ａ）は屋上その他の鉄塔にアンテナがある場合、（ｂ）は屋内の天井裏にアンテナがある場合の説明図である。
【符号の説明】
【００２１】
１  移動無線基地局給電線系導通確認用信号発生器
２  ハウジング
２Ａ  前面パネル
３  切替ノブ
４  トグルスイッチ
５  オン・オフインジケータ
６  信号出力端子手段
７  アクセス孔
８  ハウジング足
９  ジャック
１０  アンテナ給電部
１１  アンテナ側給電経路端子
１２  アッテネータ付き接続ケーブル
１３  直結型アンテナのアンテナ側給電経路端子
１４  接続ケーブル
１５  肩掛けストラップ
１６  変復調装置（ＭＤＥ）
１７  アンテナ（ＡＮＴ）
１８  分配合成器（ＨＹＢ）
１９  ＭＤＥ側給電経路端子
２０  信号レベル測定器
【図１】
2007005891.tif 000003
【図２】
2007005891.tif 000004
【図３】
2007005891.tif 000005